(57)【要約】【課題】通信中に通信チャネルの割り当て処理を行う基地局装置において、割り当てられる通信チャネルを通知するためのデータを削減して他のデータをより多く送信することで、スループットを向上する。【解決手段】基地局装置１００は、所定の期間毎に複数の通信チャネル（ＰＲＵ）の少なくとも一部を通信に割り当てるＰＲＵ割り当て部３０２と、通信に割り当てられるか否かが変更される変更ＰＲＵの数を取得する変更ＰＲＵ数取得部３１８と、変更ＰＲＵの数が閾値以上である場合、ＰＲＵ割り当て部３０２によって複数のＰＲＵのそれぞれが通信に割り当てられるか否かを示す通信チャネル割り当て情報を通信チャネルを通知するためのデータとし、変更ＰＲＵの数が閾値未満である場合、変更ＰＲＵを示す通信チャネル変更情報を通信チャネルを通知するためのデータとするＰＨＹヘッダ生成処理部３２０と、を含む。【選択図】図３
2010177953.tif 000002
【特許請求の範囲】
【請求項１】
移動局装置との通信を開始する際に、複数の通信チャネルのそれぞれが前記通信に割り当てられるか否かを示す情報を前記移動局装置に送信する基地局装置であって、
所定の期間毎に前記複数の通信チャネルの少なくとも一部を前記通信に割り当てる割り当て手段と、
前記割り当て手段によって前記通信に割り当てられるか否かが変更される変更通信チャネルの数を取得する手段と、
前記変更通信チャネルの数が閾値以上である場合、前記割り当て手段によって前記複数の通信チャネルのそれぞれが前記通信に割り当てられるか否かを示す通信チャネル割り当て情報を送信し、
前記変更通信チャネルの数が前記閾値未満である場合、前記変更通信チャネルを示す通信チャネル変更情報を送信する送信手段と、
を含むことを特徴とする基地局装置。
【請求項２】
請求項１に記載の基地局装置において、
前記変更通信チャネルがない場合、前記送信手段は前記通信チャネル変更情報として前記変更通信チャネルがないことを示す情報のみを送信する、
ことを特徴とする基地局装置。
【請求項３】
請求項１または２に記載の基地局装置において、
前記閾値は、前記通信チャネル割り当て情報のデータ量が前記変更通信チャネルの数から得られる通信チャネル変更情報のデータ量より大きくなるような変更通信チャネルの数のうち、最小の値である、
ことを特徴とする基地局装置。
【請求項４】
移動局装置との通信を開始する際に、複数の通信チャネルのそれぞれが前記通信に割り当てられるか否かを示す情報を前記移動局装置に送信する基地局装置の制御方法であって、
所定の期間毎に前記複数の通信チャネルの少なくとも一部を前記通信に割り当てる割り当てステップと、
前記割り当てステップにおいて前記通信に割り当てられるか否かが変更される変更通信チャネルの数を取得するステップと、
前記変更通信チャネルの数が閾値以上である場合、前記複数の通信チャネルのそれぞれが前記通信に割り当てられるか否かを示す情報を送信し、
前記変更通信チャネルの数が前記閾値未満である場合、前記変更通信チャネルを示す情報を送信する送信ステップと、
を含むことを特徴とする基地局装置の制御方法。
【発明の詳細な説明】
【技術分野】
【０００１】
本発明は、基地局装置および基地局装置の制御方法に関する。
【背景技術】
【０００２】
基地局装置には、所定の複数の通信チャネルの少なくとも一部を使用して移動局装置と通信を行うものがある。さらに電波状況等に応じて使用する通信チャネルを逐次切り替える基地局装置は、通信の実行中に通信チャネルを通信に割り当てる割り当て処理を行う。そして割り当てられた通信チャネルを移動局装置に通知して、基地局装置はこれらの通信チャネルを使用する通信を行う。
【０００３】
例えば次世代ＰＨＳ方式に準拠する基地局装置は、周波数および時間により規定される複数の通信チャネル（ＰＲＵ，Ｐｈｙｓｉｃａｌ  Ｒｅｓｏｕｒｃｅ  Ｕｎｉｔと呼ぶ）の少なくとも一部を電波状況に基づいて通信に割り当てる割り当て処理を５ｍｓ（フレーム）毎に行うことで、逐次変化する電波状況に適応した通信を実現している。割り当てられたＰＲＵは、ＰＨＹヘッダと呼ばれるビット系列に含まれるデータ（ＭＡＰ）を用いて基地局装置から移動局装置に通知される。
【０００４】
図８は、次世代ＰＨＳの仕様に準拠する基地局装置が送信するＰＨＹヘッダ８００の構成を示す図である。ＰＨＹヘッダ８００は、ＭＡＰ８０２、制御データ８０４、リザーブ領域８０６を含む。
【０００５】
ＭＡＰ８０２は、通信に割り当てられたＰＲＵを示すデータを含む。制御データ８０４は、送信タイミングを制御するデータや送信電力を制御するデータを含む。リザーブ領域８０６は埋め込まれるデータが規定されない領域であり、通信データ等が適宜組み込まれる。次世代ＰＨＳ方式の仕様は、例えば非特許文献１に記載されている。
【先行技術文献】
【非特許文献】
【０００６】
【非特許文献１】“ARIB STD-T95「OFDMA/TDMA TDD Broadband Wireless Access System (Next Generation PHS）ARIB STANDARD」1.0版”、平成１９年１２月１２日、社団法人電波産業会
【発明の概要】
【発明が解決しようとする課題】
【０００７】
このように基地局装置は、通信チャネルの割り当て処理が行われる毎に、割り当てられる通信チャネルを通知するために全ての通信チャネルのそれぞれについて、割り当てられたか否かを示す情報を移動局装置に送信している。例えば次世代ＰＨＳ方式に準拠する基地局装置は、割り当て処理の対象であるＰＲＵと同じ数のビットからなるＭＡＰ８０２を含むＰＨＹヘッダ８００をフレーム毎に送信する。ＭＡＰ８０２のそれぞれのビットがＰＲＵの１つ１つに対応づけられており、対応づけられるＰＲＵが通信に割り当てられたか否かを示している。
【０００８】
このように基地局装置は、割り当て処理において前回と同じ通信チャネルが割り当てられた場合や一部しか割り当てが変更されなかった場合にも、全ての通信チャネルのそれぞれについて割り当てられたか否かを示す情報を送信する。従って基地局装置からの送信データ（ＰＨＹヘッダ８００）における、この情報（ＭＡＰ８０２）が占める領域は他の種類の情報を送信するためのデータ領域に使用できず、全体のスループットを上げることができない。
【０００９】
本発明は上記の課題を鑑みてなされたものであり、通信中に通信チャネルの割り当て処理を行う基地局装置において、割り当てられる通信チャネルを通知するためのデータを削減して他のデータをより多く送信することで、スループットを向上することを目的とする。
【課題を解決するための手段】
【００１０】
本発明に係る基地局装置は、移動局装置との通信を開始する際に、複数の通信チャネルのそれぞれが前記通信に割り当てられるか否かを示す情報を前記移動局装置に送信する基地局装置であって、所定の期間毎に前記複数の通信チャネルの少なくとも一部を前記通信に割り当てる割り当て手段と、前記割り当て手段によって前記通信に割り当てられるか否かが変更される変更通信チャネルの数を取得する手段と、前記変更通信チャネルの数が閾値以上である場合、前記割り当て手段によって前記複数の通信チャネルのそれぞれが前記通信に割り当てられるか否かを示す通信チャネル割り当て情報を送信し、前記変更通信チャネルの数が前記閾値未満である場合、前記変更通信チャネルを示す通信チャネル変更情報を送信する送信手段と、を含む。
【００１１】
本発明によれば、割り当てられる通信チャネルを通知するためのデータ（通知データ）が削減され、送信データにおける通知データが占める領域が削減されるため、他のデータの送信に使用できる領域が多く確保される。よってこの領域を使用して他のデータをより多く送信することにより、スループットが向上する。
【００１２】
本発明に係る基地局装置において、前記変更通信チャネルがない場合、前記送信手段は前記通信チャネル変更情報として前記変更通信チャネルがないことを示す情報のみを送信する。
【００１３】
本発明によれば、変更通信チャネルがない場合、割り当てられる通信チャネルを通知するためのデータ（通知データ）が削減され、送信データにおける通知データが占める領域が削減されるため、他のデータの送信に使用できる領域が多く確保される。よってこの領域を使用して他のデータをより多く送信することにより、スループットが向上する。
【００１４】
本発明に係る基地局装置において、前記閾値は、前記通信チャネル割り当て情報のデータ量が前記変更通信チャネルの数から得られる通信チャネル変更情報のデータ量より大きくなるような変更通信チャネルの数のうち、最小の値である。
【００１５】
本発明によれば、通信チャネル変更情報と通信チャネル割り当て情報とのうち、データ量が小さい一方が送信される。
【００１６】
本発明に係る基地局装置の制御方法は、移動局装置との通信を開始する際に、複数の通信チャネルのそれぞれが前記通信に割り当てられるか否かを示す情報を前記移動局装置に送信する基地局装置の制御方法であって、所定の期間毎に前記複数の通信チャネルの少なくとも一部を前記通信に割り当てる割り当てステップと、前記割り当てステップにおいて前記通信に割り当てられるか否かが変更される変更通信チャネルの数を取得するステップと、前記変更通信チャネルの数が閾値以上である場合、前記複数の通信チャネルのそれぞれが前記通信に割り当てられるか否かを示す情報を送信し、前記変更通信チャネルの数が前記閾値未満である場合、前記変更通信チャネルを示す情報を送信する送信ステップと、を含む。
【図面の簡単な説明】
【００１７】
【図１】本実施の形態に係る基地局装置を含む移動通信システムを示す図である。
【図２】移動通信システムにおける通信で使用される通信チャネルを示す図である。
【図３】本実施の形態に係る基地局装置の構成を示す図である。
【図４】変更ＰＲＵ数が閾値以上である場合のＰＨＹヘッダを示す図である。
【図５】変更ＰＲＵが存在し、かつ変更ＰＲＵ数が閾値未満である場合のＰＨＹヘッダを示す図である。
【図６】変更ＰＲＵが存在しない場合のＰＨＹヘッダを示す図である。
【図７】本実施の形態に係る基地局装置の動作を示すフローチャートである。
【図８】次世代ＰＨＳの仕様に準拠する基地局装置が送信するＰＨＹヘッダの構成を示す図である。
【発明を実施するための形態】
【００１８】
図１は、本実施の形態に係る基地局装置１００を含む移動通信システム１０６を示す図である。基地局装置１００は、移動局装置１０２および移動局装置１０４とＯＦＤＭＡ（Orthogonal Frequency Division Multiple Access：直交周波数分割多重接続）方式およびＴＤＭＡ／ＴＤＤ（Time Division Multiple Access/Time Division Duplex：時分割多重／時分割双方向通信）により通信を行う。
【００１９】
図２は、移動通信システム１０６における通信で使用される通信チャネル（ＰＲＵ，Ｐｈｙｓｉｃａｌ  Ｒｅｓｏｕｒｃｅ  Ｕｎｉｔと呼ぶ）を示す図である。ＰＲＵは、周波数方向に規定される１８個のサブチャネルおよび時間方向に規定される４個のタイムスロットにより規定される。従ってＰＲＵは７２個存在する。各ＰＲＵは図２に示される順番で番号（ＰＲＵ番号）が付され、このＰＲＵ番号で指定される。
【００２０】
基地局装置１００は、移動局装置１０２との通信を開始する際に、複数のＰＲＵの少なくとも一部を通信に割り当てる初期割り当て処理を行い、複数のＰＲＵのそれぞれが通信に割り当てられたか否かを示す情報を移動局装置１０２に送信する。
【００２１】
その後、通信の実行中には、基地局装置１００は、複数のＰＲＵの少なくとも一部を通信に割り当てる再割り当て処理を所定の期間毎に行い、割り当てられたＰＲＵを移動局装置１０２に通知する。ここで、所定の期間は５ｍｓ（１フレーム）である。
【００２２】
その際、基地局装置１００は、複数のＰＲＵのそれぞれが割り当てられたか否かを示すデータを送信する代わりに、変更ＰＲＵ（前回の割り当て処理で通信に割り当てられていたが今回の割り当て処理で割り当てられなかったＰＲＵおよび、前回の割り当て処理で割り当てられていなかったが今回の割り当て処理で割り当てられたＰＲＵ）を示すデータを送信することによって、割り当てられたＰＲＵを移動局装置１０２に通知する。
【００２３】
移動局装置１０２は、ＰＲＵが割り当てられる毎に割り当てられるＰＲＵを認識しており、通知された変更ＰＲＵがそれまで割り当てられていれば今回割り当てられないとし、変更ＰＲＵがそれまで割り当てられていなければ今回割り当てられると判断することで、今回の割り当て処理で割り当てられるＰＲＵを全て認識する。
【００２４】
変更ＰＲＵが少ない場合、変更ＰＲＵを示すデータを送信することで割り当てられたＰＲＵを通知すれば、通知のために送信されるデータを削減できる。そして送信されるデータが削減されるか否かは変更ＰＲＵの数（変更ＰＲＵ数）によって決まり、その境界となる閾値は予め求めることができる。
【００２５】
本実施の形態では、変更ＰＲＵ数と、予め求められる閾値と、の比較結果に基づいて、通信に割り当てられうる全てのＰＲＵについて、それぞれのＰＲＵが通信に割り当てられるか否かを示す情報（通信チャネル割り当て情報）と、変更ＰＲＵを示す情報（通信チャネル変更情報）と、のいずれかを割り当てられたＰＲＵを通知するためのデータとして送信する基地局装置１００について述べる。変更ＰＲＵ数が閾値以上である場合、基地局装置１００は通信チャネル割り当て情報を送信する。一方、変更ＰＲＵ数が閾値未満である場合、基地局装置１００は通信チャネル変更情報を送信する。
【００２６】
図３は、本実施の形態に係る基地局装置１００の構成を示す図である。基地局装置１００は、制御部３００、ＰＲＵ割り当て部３０２、ＰＨＹヘッダ生成部３０４、変復調部３０６、送受信部３０８、およびアンテナ３１０を含む。制御部３００、ＰＲＵ割り当て部３０２、ＰＨＹヘッダ生成部３０４、および変復調部３０６はＣＰＵ等からなり、送受信部３０８は、例えば半導体回路からなる。
【００２７】
制御部３００は、基地局装置１００の動作を制御する。基地局装置１００が移動局装置１０２との通信を開始する際、制御部３００はＰＲＵ割り当て部３０２に対し、初期割り当て処理を実行するよう指示する。初期割り当て処理で割り当てられたＰＲＵは、通信開始時に通信に使用される。
【００２８】
通信の実行中には、制御部３００はＰＲＵ割り当て部３０２に対し、再割り当て処理を所定の期間毎に実行するよう指示する。通信で使用されるＰＲＵは、再割り当て処理で割り当てられたＰＲＵに逐次切り替えられる。
【００２９】
ＰＲＵ割り当て部３０２は、複数のＰＲＵの少なくとも一部を通信に割り当てる初期割り当て処理および再割り当て処理を実行する。ＰＲＵ割り当て部３０２は、制御部３００からの指示に基づき、通信開始時に初期割り当て処理を行い、通信中には所定の期間毎に再割り当て処理を行う。ＰＲＵ割り当て部３０２は、割り当てられたＰＲＵをＰＨＹヘッダ生成部３０４に通知する。
【００３０】
ＰＨＹヘッダ生成部３０４は、ＰＨＹヘッダを生成する。ＰＨＹヘッダ生成部３０４は、変更ＰＲＵ数に基づいて、図４、図５、図６に示す３種類のＰＨＹヘッダのうちのいずれかのＰＨＹヘッダを生成する。
【００３１】
図４は、変更ＰＲＵ数が閾値以上である場合のＰＨＹヘッダ４００を示す図である。ＰＨＹヘッダ４００は制御データ４０２、閾値判定フラグ４０４、ＭＡＰ４０６、リザーブ領域４０８を含む。
【００３２】
制御データ４０２は、送信タイミングを制御するデータや送信電力を制御するデータを含む。
【００３３】
閾値判定フラグ４０４は、変更ＰＲＵ数が閾値以上か否かを示すフラグである。変更ＰＲＵ数が閾値以上である場合、閾値判定フラグ４０４は“１”である。一方、変更ＰＲＵ数が閾値未満である場合、閾値判定フラグ４０４は“０”である。図４では変更ＰＲＵ数が閾値以上である場合のＰＨＹヘッダが示されているため、閾値判定フラグ４０４は“１”である。
【００３４】
ＭＡＰ４０６は、ＰＲＵのそれぞれが通信に割り当てられるか否かを示すデータからなる。ＭＡＰ４０６のそれぞれのビットが図２で示されるＰＲＵに対応する。そしてそれぞれのビットが、対応するＰＲＵが通信に割り当てられたか否かを０／１で表す。本実施の形態ではＰＲＵは７２個であるため、ＭＡＰ４０６のビット数は７２ビットである。
【００３５】
リザーブ領域４０８は埋め込まれるデータが規定されない領域で、通信データ等が適宜組み込まれる。
【００３６】
図５は、変更ＰＲＵが存在し（変更ＰＲＵ数が０ではない）、かつ変更ＰＲＵ数が閾値未満である場合のＰＨＹヘッダ５００を示す図である。ＰＨＹヘッダ５００は制御データ５０２、閾値判定フラグ５０４、変更有無フラグ５０６、変更情報５０８、リザーブ領域５１０を含む。変更情報５０８は、変更ＰＲＵ数５１２、および変更ＰＲＵ指定データ５１４を含む。
【００３７】
制御データ５０２、閾値判定フラグ５０４、およびリザーブ領域５１０は、ＰＨＹヘッダ４００における制御データ４０２、閾値判定フラグ４０４、およびリザーブ領域４０８と同様である。なお、図５では変更ＰＲＵが存在し、かつ変更ＰＲＵ数が閾値未満である場合のＰＨＹヘッダ５００が示されているため、閾値判定フラグ５０４は“０”である。
【００３８】
変更有無フラグ５０６は、ＰＲＵの変更があったか否か（ＰＲＵ変更数が１以上か０か）を示すフラグである。ＰＲＵの変更がない場合（ＰＲＵ変更数が０である場合）、変更有無フラグ５０６は“０”である。一方、変更がある場合（ＰＲＵ変更数が０でない場合）、変更有無フラグ５０６は“１”である。図５では変更ＰＲＵ数が０より大きく閾値未満である場合のＰＨＹヘッダ５００が示されているため、変更有無フラグ５０６は“１”である。
【００３９】
変更情報５０８は、変更ＰＲＵ数５１２および変更ＰＲＵ指定データ５１４を含む。変更ＰＲＵ数５１２は、変更ＰＲＵ数を示す。ここで、ＰＨＹヘッダ５００は変更ＰＲＵ数が閾値未満である場合のみに用いられるため、変更ＰＲＵ数５１２が示す値は閾値未満である。変更ＰＲＵ指定データ５１４は、変更ＰＲＵを表す。変更ＰＲＵは、図２に示される数字を用いて表される。ＰＲＵを指定する番号（ＰＲＵ番号）は１から７２まで存在するため、１個のＰＲＵ番号を表すのに必要なビット数は７ビットであり、変更ＰＲＵ指定データ５１４のビット数は７×変更ＰＲＵ数である。従って変更ＰＲＵ指定データ５１４のビット数は変更ＰＲＵ数により可変であり、変更ＰＲＵ数５１２の末尾ビットに続けて、上位に詰めて組み込まれる。よってリザーブ領域５１０のビット数は、変更ＰＲＵ数５１２に応じて変化する。
【００４０】
図６は、変更ＰＲＵが存在しない（変更ＰＲＵ数が０である）場合のＰＨＹヘッダ６００を示す図である。ＰＨＹヘッダ６００は制御データ６０２、閾値判定フラグ６０４、変更有無フラグ６０６、リザーブ領域６０８を含む。
【００４１】
制御データ６０２、閾値判定フラグ６０４、変更有無フラグ６０６、リザーブ領域６０８は、いずれもＰＨＹヘッダ５００における制御データ５０２、閾値判定フラグ５０４、変更有無フラグ５０６、およびリザーブ領域５１０と同様である。図６では、変更ＰＲＵが存在しない場合のＰＨＹヘッダ６００が示されているため、閾値判定フラグ６０４は“０”（変更ＰＲＵ数が閾値未満である）、変更有無フラグ６０６は“０”（変更なし）である。この場合、変更有無フラグ６０６以降は全てリザーブ領域６０８として使用される。
【００４２】
ここで、閾値について説明する。閾値は、ＰＨＹヘッダ４００により送信される送信データ（送信チャネル割り当て情報）のデータ量がＰＨＹヘッダ５００により送信される送信データ（送信チャネル変更情報）のデータ量より大きくなるような変更ＰＲＵの数のうち、最小の値である。すなわち、閾値は、変更ＰＲＵを示すデータを送信して割り当てられたＰＲＵを通知することで、通知のために送信されるデータを削減できる否かの境界となる値である。
【００４３】
ＰＨＹヘッダ４００が送信される場合、ＰＲＵを通知するためのデータは閾値判定フラグ４０４、およびＭＡＰ４０６であり、そのビット数は７３（定数）ビットである。
【００４４】
一方、ＰＨＹヘッダ５００が送信される場合、ＰＲＵを通知するためのデータは閾値判定フラグ５０４、変更有無フラグ５０６、および変更情報５０８であり、そのビット数は１＋１＋変更ＰＲＵ数５１２のビット数＋７×変更ＰＲＵ数（ビット）である。変更ＰＲＵ数が９の場合、１＋１＋４＋７×９＝６９となり、変更ＰＲＵ数が１０の場合、１＋１＋４＋７×１０＝７６となる。従って、閾値を１０として、基地局装置１００は変更ＰＲＵ数が１０より大きい場合はＰＨＹヘッダ４００を送信し、変更ＰＲＵ数が１０未満である場合ＰＨＹヘッダ５００を送信する。
【００４５】
以下に、ＰＨＹヘッダ生成部３０４の構成を説明する。ＰＨＹヘッダ生成部３０４は、ＰＲＵ記憶部３１２、全ＰＲＵデータ生成部３１４、変更ＰＲＵデータ生成部３１６、変更ＰＲＵ数取得部３１８、ＰＨＹヘッダ生成処理部３２０を含む。
【００４６】
ＰＲＵ記憶部３１２は、変更ＰＲＵおよび変更ＰＲＵ数を取得する際の比較対象とするＰＲＵ割り当て情報を記憶する。ＰＲＵ割り当て情報は、ＰＲＵ割り当て部３０２から通知される、ＰＲＵのそれぞれが通信に割り当てられるか否かを示す情報である。
【００４７】
ＰＲＵ割り当て部３０２から、初期割り当て処理によって割り当てられるＰＲＵが通知された場合、ＰＲＵ記憶部３１２には、直ちにＰＲＵ割り当て情報が書き込まれる。
【００４８】
ＰＲＵ割り当て部３０２から、再割り当て処理によって割り当てられるＰＲＵが通知された場合、ＰＲＵ記憶部３１２に記憶されるＰＲＵ割り当て情報は、後述するＰＨＹヘッダ生成処理部３２０によるＰＨＹデータの生成の後、上書きされる。従って、比較の際にＰＲＵ記憶部３１２に記憶されているのは、前のフレームにおいて割り当てられていたＰＲＵの情報である。
【００４９】
全ＰＲＵデータ生成部３１４は、ＰＲＵ割り当て部３０２から通知される通信に割り当てられるＰＲＵから、図４に示されるＰＨＹヘッダ４００におけるＭＡＰ４０６のデータを生成する。
【００５０】
変更ＰＲＵデータ生成部３１６は、ＰＲＵ割り当て部３０２から通知される通信に割り当てられるＰＲＵおよびＰＲＵ記憶部３１２に記憶されるＰＲＵの情報から、図５に示されるＰＨＹヘッダ５００における変更情報５０８（変更ＰＲＵ数５１２および変更ＰＲＵ指定データ５１４）を生成する。
【００５１】
変更ＰＲＵ数取得部３１８は、ＰＲＵ割り当て部３０２から通知される、通信に割り当てられるＰＲＵおよびＰＲＵ記憶部３１２に記憶されるＰＲＵの情報から、ＰＲＵ割り当て部３２０によって通信に割り当てられるか否かが変更される変更ＰＲＵ（変更通信チャネル）の数を取得する。
【００５２】
ＰＨＹヘッダ生成処理部３２０は、全ＰＲＵデータ生成部３１４、変更ＰＲＵデータ生成部３１６、および変更ＰＲＵ数取得部３１８からの入力に基づき、ＰＨＹヘッダを生成する。
【００５３】
通信開始時、ＰＨＹヘッダ生成処理部３２０は、全ＰＲＵデータ生成部３１４から入力されるＭＡＰ４０６のデータから、図４に示されるＰＨＹヘッダ４００を生成する。
【００５４】
通信の実行中、ＰＨＹヘッダ生成処理部３２０は、変更ＰＲＵ数取得部３１８により取得される変更ＰＲＵの数が閾値以上である場合、全ＰＲＵデータ生成部３１４から入力されるＭＡＰ４０６のデータから、図４に示されるＰＨＹヘッダ４００を生成する。ＰＨＹヘッダ４００は、ＰＲＵのそれぞれが通信に割り当てられるか否かを示す通信チャネル割り当て情報である。
【００５５】
また、変更ＰＲＵの数が０以上かつ閾値未満である場合、ＰＨＹヘッダ生成処理部３２０は、変更ＰＲＵデータ生成部３１６から入力される変更情報５０８から、図５に示されるＰＨＹヘッダ５００を生成する。ＰＨＹヘッダ５００は、変更ＰＲＵを示す通信チャネル変更情報である。
【００５６】
また、変更ＰＲＵの数が０である場合、ＰＨＹヘッダ生成処理部３２０は、図６に示されるＰＨＹヘッダ６００を生成する。ＰＨＹヘッダ６００は、変更ＰＲＵを示す（具体的には、変更ＰＲＵがないことを示す）通信チャネル変更情報である。すなわち、変更ＰＲＵがない場合、変更ＰＲＵがないことを示す情報のみが送信される。
【００５７】
変復調部３０６は、図示しないデータ生成部から入力される送信データおよびＰＨＹヘッダ生成処理部３２０から入力されるＰＨＹヘッダから送信フレームデータを生成し、逆離散フーリエ変換、ＧＩ(Guard Interval)の付加等の処理を行い、得られる信号を送受信部３０８に出力する。また、変復調部３０６は送受信部３０８から入力される受信信号に対しＧＩの除去、離散フーリエ変換等の処理を行い、得られる受信データを、図示しない受信データ処理部に出力する。
【００５８】
送受信部３０８は、変復調部３０６から入力されるデータに対してアップコンバート等の処理を行い、得られる信号をアンテナ３１０に出力する。また、送受信部３０８は、アンテナ３１０から入力されるデータに対してダウンコンバート等の処理を行い、得られる信号を変復調部３０６に出力する。
【００５９】
アンテナ３１０は送受信部３０８から入力された信号を電波として送信する。また、アンテナ３１０は、移動局装置１０２などから送信された電波を受信し、得られる信号を送受信部３０８に出力する。
【００６０】
次に、基地局装置１００の動作をフローチャートを用いて説明する。図７は、本実施の形態に係る基地局装置１００の動作を示すフローチャートである。
【００６１】
ＰＲＵ割り当て部３０２は、移動局装置１０２と通信を開始する際、初期割り当て処理を行う（Ｓ７００）。
【００６２】
全ＰＲＵデータ生成部３１４は、ＰＲＵのそれぞれが通信に割り当てられたか否かを示す通信チャネル割り当て情報（ＭＡＰ）を生成し（Ｓ７０２）、基地局装置１００は通信チャネル割り当て情報を含むＰＨＹヘッダ４００を移動局装置１０２に送信する（Ｓ７０４）。ここで、割り当てられたＰＲＵはＰＲＵ記憶部３１２に記憶される。
【００６３】
初期割り当て処理（Ｓ７００）から所定の期間経過後、ＰＲＵ割り当て部３０２は、再割り当て処理を行う（Ｓ７０６）。
【００６４】
全ＰＲＵデータ生成部３１４は、ＰＲＵのそれぞれが通信に割り当てられたか否かを示す通信チャネル割り当て情報（ＭＡＰ）を生成する。変更ＰＲＵデータ生成部３１６は、Ｓ７０４で割り当てられたＰＲＵとＰＲＵ記憶部３１２に記憶されているＰＲＵとを比較し、変更ＰＲＵを示す通信チャネル変更情報（変更情報）を生成する。また、変更ＰＲＵ数取得部３１８は、Ｓ７０４で割り当てられたＰＲＵとＰＲＵ記憶部３１２に記憶されているＰＲＵとを比較し、変更ＰＲＵ数５１２を取得する（Ｓ７０８）。
【００６５】
そして、ＰＨＹヘッダ生成処理部３２０は変更ＰＲＵ数５１２と閾値を比較する（Ｓ７１０）。変更ＰＲＵ数５１２が閾値以上であれば、基地局装置１００は通信チャネル割り当て情報を含むＰＨＹヘッダ４００を移動局装置１０２に送信する（Ｓ７１２）。変更ＰＲＵ数５１２が閾値未満であれば、基地局装置１００は通信チャネル変更情報を含むＰＨＹヘッダ５００を送信する（Ｓ７１４）。また、Ｓ７０６で割り当てられたＰＲＵがＰＲＵ記憶部３１２に上書きされる。
【００６６】
そして基地局装置１００は、移動局装置１０２との通信が継続されるか確認し（Ｓ７１６）、継続されるならＳ７０６に戻って、再割り当て処理を、再割り当て処理から所定の期間経過後に実行する。継続されないなら処理を終了する。
【００６７】
以上の構成により、割り当てられる通信チャネルを通知するためのデータが削減される。ＰＨＹヘッダ４００，５００，６００において、割り当てられる通信チャネルを通知するためのデータは上位ビットに詰めて組み込まれるため、リザーブ領域４０８，５１０，６０８が多く確保される。リザーブ領域４０８，５１０，６０８は他のデータの送信に割り当てられる領域であり、これらの領域が多く確保されることにより、他のデータがより多く送信され、スループットが向上する。
【００６８】
なお、本発明は上記実施の形態に限定されるものではなく、本発明の趣旨を逸脱しない範囲で種々変更可能であることはいうまでもない。
【００６９】
例えば、本実施の形態では変更情報５０８が変更ＰＲＵ数５１２と変更ＰＲＵ指定データ５１４を含む構成を示したが、変更情報５０８は、変更ＰＲＵを特定できる情報を含めばいかなる構成でもよい。例えば変更情報５０８が終了することを示す信号を既知信号として規定しておき、変更ＰＲＵ指定データ５１４を全て付加したあとこの既知信号を付加する構成としてもよい。この場合、変更ＰＲＵ数５１２は不要である。
【００７０】
また、本実施の形態では初期割り当て処理によって割り当てられるＰＲＵを通知する際に、ＰＨＹヘッダ４００を送信する構成を示したが、移動局装置１０２がＰＲＵの通知が初回であるか否かを認識する構成を備え、基地局装置１００は初期割り当て処理によって割り当てられるＰＲＵを通知する際にはＰＨＹヘッダ４００から閾値判定フラグ４０４を削除したものを送信する構成としてもよい。
【００７１】
また、本実施の形態では、時間および周波数によって規定されるＰＲＵの割り当て処理を所定の期間毎に行い、割り当てられたＰＲＵを使用して通信を行う基地局装置１００の例を示したが、通信の実行中に通信チャネルを切り替える基地局装置であれば他の方式に準拠するものに対しても本発明は適用可能である。また、所定の期間も５ｍｓ（１フレーム）に限定されず、通信チャネルの割り当て処理を行う周期であればよい。
【符号の説明】
【００７２】
１００  基地局装置、１０２  移動局装置、１０４  移動局装置、１０６  移動通信システム、３００  制御部、３０２  ＰＲＵ割り当て部、３０４  ＰＨＹヘッダ生成部、３０６  変復調部、３０８  送受信部、３１０  アンテナ、３１２  ＰＲＵ記憶部、３１４  全ＰＲＵデータ生成部、３１６  変更ＰＲＵデータ生成部、３１８  変更ＰＲＵ数取得部、３２０  ＰＨＹヘッダ生成処理部、４００  ＰＨＹヘッダ、４０２  制御データ、４０４  閾値判定フラグ、４０６  ＭＡＰ、４０８  リザーブ領域、５００  ＰＨＹヘッダ、５０２  制御データ、５０４  閾値判定フラグ、５０６  変更有無フラグ、５０８  変更情報、５１０  リザーブ領域、５１２  変更ＰＲＵ数、５１４  変更ＰＲＵ指定データ、６００  ＰＨＹヘッダ、６０２  制御データ、６０４  閾値判定フラグ、６０６  変更有無フラグ、６０８  リザーブ領域、８００  ＰＨＹヘッダ、８０２  ＭＡＰ、８０４  制御データ、８０６  リザーブ領域。
【図１】
2010177953.tif 000003
【図２】
2010177953.tif 000004
【図３】
2010177953.tif 000005
【図４】
2010177953.tif 000006
【図５】
2010177953.tif 000007
【図６】
2010177953.tif 000008
【図７】
2010177953.tif 000009
【図８】
2010177953.tif 000010